(57)【要約】【課題】例えば介護を必要とする者が快適に使用することができる介護用使い捨てエプロンを提供する。【解決手段】使用者の胸部及び腹部の少なくとも一部を覆う前覆い部１０と、前覆い部の一側から連続して延在し、テーブル上面の一部を覆うことが可能な裾部２０と、前覆い部前面の少なくとも一部に形成され、装着時の使用者の食べこぼしを収容する収容部１１と、前覆い部の他側端部から一側に向かって所定の距離だけ離間した位置にくっ付けられ、使用者の首部にひっかけられる略Ｕ字型の首かけ部３０とを備え、これら全てが使い捨て可能で、かつ前覆い部の他側端部とこれに対応する首かけ部の部分とが結合可能な介護用使い捨てエプロンである。【選択図】　　　　図１
0003098121.tif 000002
【実用新案登録請求の範囲】
【請求項１】
使用者の胸部及び腹部の少なくとも一部を覆う前覆い部と、前記前覆い部の一側から連続して延在し、テーブル上面の一部を覆うことが可能な裾部と、前記前覆い部前面の少なくとも一部に形成され、装着時の使用者の食べこぼしを収容する収容部と、前記前覆い部の他側端部から一側に向かって所定の距離だけ離間した位置に両端がくっ付けられ、使用者の首部にひっかけられる略Ｕ字型の首かけ部とを備え、前記前覆い部、裾部、収容部、および首かけ部の全てが使い捨て可能な材質で構成されており、前記前覆い部の他側端部とこれに対応する首かけ部の部分とが結合可能であることを特徴とする介護用使い捨てエプロン。
【考案の詳細な説明】
【０００１】
【考案が属する技術分野】
本考案は、例えば老人ホームなどにおいて介護を必要とする者の使用に適する介護用使い捨てエプロンに関する。
【０００２】
【従来の技術】
従来から、例えばレストラン等においては使い捨て可能なエプロンが一般的に使用されている。このような使い捨てエプロンは、全体が紙でできており、使用者の胸や腹部及び腿部を覆う長方形の前覆い部と、前覆い部の上端側にくっ付けられ、使用者の首に結び付ける装着紐等を備えており、装着紐を使用者の首に軽く結び付けて使用するようになっている。そして、例えば食事が終った後に、食べこぼしや醤油やソースのしみ等がついた使用済みのエプロンをそのまま外し、丸めて捨てるようになっている。
【０００３】
【考案が解決しようとする課題】
このような一般的に使用されている紙でできた使い捨て可能なエプロンを、例えば老人ホームなどにおいて介護の必要とされる者に使用する場合、介護者がいちいちエプロンの紐を使用者の首に結び付けなければならず、結び付け方によっては紐を無理に締め付けすぎて使用者に不快感を与えることもある。
【０００４】
また、紐を緩く結び付けると、前覆い部の上端部と使用者の胸の部分との間に隙間が生じ、使用者の食べこぼしなどがエプロンの内側と胸の部分の衣服との間に入って使用者の衣服を汚してしまい、エプロンとしての機能を発揮することができない場合がある。
【０００５】
一方、エプロン装着紐を結び付ける手間を省く為に、例えば、予めＵの字型の細長い帯状の紙の両端部をエプロンの上端部にくっ付け、使用者の首を通すだけで使用可能なようにした使い捨てエプロンもある。
【０００６】
このような使い捨てエプロンは、介護者が使用者にエプロンを装着する際に首の後ろでエプロンの紐を結び付ける必要がなく、その分手間がかからない。しかしながら、使用者の頭及び首を通す際、エプロンの装着紐が通し易いように頭及び首を通す部分を余裕をもってある程度大きく作っておく必要がある。
【０００７】
しかしながら、頭部及び首を通し易いようにすると、先程のようにエプロンの前面覆い部に上部と使用者の胸の部分との間に隙間が生じてしまう。すなわち、このようなエプロンでは使用者の胸の上部まで完全に覆うことができない。その為、先程と同じように使い捨てエプロンと使用者の衣服の胸の部分との間に隙間が生じて使用者の食べこぼしなどが入り込んでしまう可能性が高い。
【０００８】
一方、このような欠点を防止するために、エプロンの首通し部を小さくすることも考えられるが、このようにエプロンの首通し部を小さくすると介護者が使用者にエプロンを装着する際、使用者の頭部や首を通しにくく使用者に不快感を与えるばかりでなく、装着時にエプロンの装着紐が切れて使い物にならなくなる場合もある。また、このような装着紐の部分を伸縮自在な構成とすることも考えられるが、使い捨てを前提とするエプロンに関してこのような複雑な構造をとることはコスト的に好ましくない。
【０００９】
本考案の目的は、例えば介護を必要とする者が快適に使用することができる介護用使い捨てエプロンを提供することにある。
【００１０】
【課題を解決するための手段】
上述の目的を達成するために、本考案にかかる介護用使い捨てエプロンは、使用者の胸部及び腹部の少なくとも一部を覆う前覆い部と、前覆い部の一側から連続して延在し、テーブル上面の一部を覆うことが可能な裾部と、前覆い部前面の少なくとも一部に形成され、装着時の使用者の食べこぼしを収容する収容部と、前覆い部の他側端部から一側に向かって所定の距離だけ離間した位置に両端がくっ付けられ、使用者の首部にひっかけられる略Ｕ字型の首かけ部とを備え、前覆い部、裾部、収容部、および首かけ部の全てが使い捨て可能な材質で構成されており、前覆い部の他側端部とこれに対応する首かけ部の部分とが結合可能であることを特徴としている。
【００１１】
エプロン装着時に前覆い部が首かけ部上端に完全にくっ付けられていないので、エプロン装着に際して使用者が不快感を感じることはない。これによって使用者はエプロンを嫌がらずに使用することができると共に、介護者の負担も軽減することができる。
【００１２】
また、エプロン装着後に首かけ部の所定位置に前覆い部を結合するようになっている。すなわち、エプロン装着後に前覆い部の上側端部が使用者の首の下まで達し、使用者の胸全体を胸上部まで確実に覆うようになっている。これによって、食べこぼしが従来のようにエプロン上部からエプロンと使用者の衣服の間に入り込むことがない。
【００１３】
また、エプロン前覆い部に収容部が形成されており、口から出た食べこぼしは前覆い部を伝わって収容部内に入り込んで、食べこぼしが周囲に飛散するのを防止している。
【００１４】
【考案の実施の形態】
以下、本考案の一実施形態にかかる介護用使い捨てエプロンを図面に基づいて説明する。本考案の一実施形態にかかる介護用使い捨てエプロン１は、使用者の胸部及び腹部の一部を覆う前覆い部１０と、前覆い部１０の一側（下側）から連続して延在し、食卓の一部を覆うことができる裾部２０と、前覆い部前面の所定位置に設けられ、使用者の食べこぼしを収容する収容部１１と、前覆い部１０の他側（上端）端部から一定の距離だけ離間した位置に両端部が接続され、略Ｕ字状をなす紙紐でできた首かけ部３０を備えている。そして、首かけ部３０と前覆い部１０とは、首かけ部３０に使用者が頭部及び首を通した後に前覆い部１０の他側（上側）端部に備わった紙製のボタン１５，１６を首かけ部３０の所定の位置に引っ掛けることができるような構成をとっている（図中、矢印Ａ，Ｂ参照）。
【００１５】
なお、本実施形態においては、首かけ部３０は前覆い部１０に形成された収容部１１と反対側の取付け部１０ｂ，１０ｃに予め接着されている。
【００１６】
また、前覆い部１０、裾部２０、収容部１１、首かけ部３０は全て例えば紙のような使い捨て可能な材質でできている。また、前覆い部１０の上側端部１０ａと首かけ部３０との結合は前覆い部１０の裏側にくっ付けられ、紙をまるめて糊等で固めたボタン１５，１６を介して行なわれるようになっている。
【００１７】
なお、首かけ部３０は２本の細長い紙紐３１，３２を図示するように所定間隔で束ねた構成を有している。また、前覆い部１０のボタン１５，１６が引っ掛かる部分は狭い間隔で束ねられており、この束ねた間のスリット（図中、矢印Ａ，Ｂの先端参照）にボタン１５，１６を引っ掛けて首かけ部３０に前覆い部１０の端部を結合するようになっている。そして、使用者が首かけ部３０に頭部及び首を通して首にエプロンをひっかけた後、首かけ部３０の所定位置に前覆い部１０を結合するようになっている。これによって、前覆い部１０の上側端部が使用者の首の下まで達し、使用者の胸全体を胸上部まで確実に覆うことが可能である。
【００１８】
また、裾部２０の下端部にも両隅二箇所に両面テープ２１，２２がくっ付いており、粘着カバーを剥がすことによって両面テープ２１，２２を食卓Ｔにくっ付け、裾部２０が食卓Ｔのちょうど食器を置く部分を覆うようになっている。
【００１９】
収容部１１は、複数の縦じわ１１ａが幅方向に並んだ袋状の形態を有しており、その上方部１１ｂはある程度開口して使用者の食べこぼしが前覆い部１０を伝わって収容部内に入り込むようになっている。
【００２０】
続いて、上述した介護用使い捨てエプロンの使用方法について説明する。最初に介護者は首かけ部３０を使用者の頭部及び首に通す。この場合、首かけ部３０と前覆い部１０の上端部１０ａとはいまだ結合していない。また、首かけ部３０の端部が本実施形態では前覆い部１０の上端部１０ａから一定の距離だけ下方にくっ付けられているので、首かけ部３０における頭部及び首を通す部分の空間が大きく、介護者はエプロン１を使用者に容易に装着することができる。すなわち、装着時には前覆い部１０が首かけ部上端に完全に結合していないので、エプロン装着時に使用者が不快感を感じることはない。これによって使用者はエプロン１を嫌がらずに装着することができると共に、介護者の負担も軽減することができる。
【００２１】
続いて、介護者は裾部２０の端部にくっ付けられた粘着テープの粘着カバーをはずして裾部先端を食卓の適当な位置にくっ付け、裾部２０で食卓Ｔの食器Ｃを置く部分を覆う。
【００２２】
このように、裾部２０が食卓上の食器Ｃが置かれた部分を覆うことで、食器Ｃからこぼれ落ちた食べ物によって食卓Ｔが汚れることがない。
【００２３】
続いて、介護者は前覆い部１０の上端部１０ａにくっ付いた紙製のボタン１５，１６を首かけ部３０の対応する紙紐間にできたスリットに引っ掛けて両者を結合する（図中、矢印Ａ，Ｂ参照）。
【００２４】
これによって、前覆い部１０の上端が使用者の首の下まで達して前覆い部全体が、使用者の胸部を完全に覆い、かつ前覆い部の上部が胸部上部及び首の下の部分に密着するようになる。従って、エプロン１の前覆い部１０が使用者の腹部及び胸部全体を確実に覆い、かつ食べこぼしが従来のようにエプロン上部からエプロン１と使用者の衣服の間に入り込むことがない。その為、使用者の食べこぼしはすべてエプロン１の前覆い部１０を伝わって収容部１１に収容されると共に、ソースや醤油などの液体、みぞ汁等の液状食べこぼし、唾液等は使用者の首の下まで覆った前覆い部１０で確実に吸収され、使用者の衣服を汚すことがない。
【００２５】
続いて、使用者の食事が終わると、介護者は裾部２０にある食器Ｃを片付けた後、裾部２０の粘着テープを剥がすと共に、ボタン１５，１６を首かけ部３０から外したり首かけ部３０の一部を切り取ったりして介護用使い捨てエプロン１を使用者から簡単に取り去る。介護用使い捨てエプロン１は例えば紙などの使い捨て可能な材質でできているので、その後、収容部内に入った食べこぼしなどが外に飛散しないように注意しながらエプロン１を丸めてそのままゴミ箱等に捨てることができる。
【００２６】
なお、介護用使い捨てエプロン１の材質は紙に限定されることはなく、使い捨て可能であれば紙以外のものであっても構わない。従って焼却可能なプラスチックなどであっても構わない。また、介護用使い捨てエプロン１が紙でできている場合は、前覆い部や裾部を二重構成にしても良く、これによって食べこぼし等を確実に吸収することを可能にする。
【００２７】
また、首かけ部３０は厳密な意味でのＵ字形状を有するものではなく、角形Ｕ字型形状等、ほぼＵ字形状に近似したものも含まれることは言うまでもない。
【００２８】
また、前覆い部１０の下方に使用者の胸に結び付けるための装着紐を設けても良い。
【００２９】
また、裾部の粘着テープはたとえば裾部２０にマジックテープ（登録商標）の一方を貼り付けるようにし、裾部２０の端部に当該テープの他方にくっ付けるようにした構造をとっても良い。
【００３０】
なお、上述の実施形態において、首かけ部３０に紙紐を重ね合わせる代わりに、帯状の紙を用いても良い。この場合、前覆い部１０の上端裏側に両面テープを備え、首かけ部を使用者の首に通した後、この両面テープを首かけ部の適所にくっ付けるようにする。これによって、上述と同様の作用効果を発揮することが可能となる。
【００３１】
また、この場合の前覆い部と首かけ部との間を接着する粘着テープは必ずしも前覆い部側に設ける必要はなく、首かけ部に設けても良いし、前覆い部と首かけ部の双方に設けても良い。
【００３２】
なお、裾部２０は本実施形態では食卓Ｔ上に載せているが、必ずしもこれに限定されず、使用者の太ももや膝にかけてこのあたりの汚れを防止するようにしても良い。
【００３３】
また、以上説明した本実施形態にかかる使い捨てエプロンを例えば紙で作ることで使用者が食事後にエプロンの袖で口のまわりをきれいに拭くことも可能である。
【００３４】
【考案の効果】
以上説明したように、本考案にかかる介護用使い捨てエプロンは、エプロン装着時に前覆い部が首かけ部上端に完全にくっ付けられていないので、使用者にとってもエプロン装着時に者に不快感を感じることはない。これによって使用者はエプロンを嫌がらずに使用することができると共に、介護者の負担も軽減することができる。
【００３５】
また、エプロン装着後に首かけ部の所定位置に前覆い部を結合するようになっている。すなわち、エプロン装着後に前覆い部の上側端部が使用者の首の下まで達し、使用者の胸全体を胸上部まで確実に覆うようになっている。これによって、食べこぼしが従来のようにエプロン上部からエプロンと使用者の衣服の間に入り込むことがない。
【００３６】
また、エプロン前覆い部に収容部が形成されており、前覆い部を伝わって収容部内に入り込んで、食べこぼしが飛散するのを防止している。
【図面の簡単な説明】
【図１】本考案の一実施形態にかかる介護用使い捨てエプロンを装着状態で示した斜視図である。
【符号の説明】
１　　介護用使い捨てエプロン
１０　　前覆い部
１０ａ　　上端部
１０ｂ，１０ｃ　　取付け部
１１　　収容部
１１ａ　　縦じわ
１１ｂ　　上方部
１５，１６　　ボタン
２０　　裾部
３０　　首かけ部
３１，３２　　紙紐
Ｃ　　食器
Ｔ　　食卓
【図１】
0003098121.tif 000003